(57)【特許請求の範囲】
【請求項１】
しゃもじ部、しゃくし部、へら部などの本体部を柄に対して着脱自在とした調理用器具であって、
前記本体部の基端部に位置決め穴を形成し、この位置決め穴内に係合される位置決め片を一体的に形成したスプリング部材を、前記本体部に組み付ける一方、このスプリング部材と前記基端部とが挿入される略長方形状の挿入穴を前記柄内に形成し、
前記スプリング部材に、これが前記基端部とともに前記挿入穴内に挿入されたとき、この挿入穴の４つのいずれかの内面に当接することになる少なくとも２つの弾性片を一体的に形成するとともに、
前記本体部側の基端部先端に一つのボルト挿入穴を形成し、このボルト挿入穴に外側から挿入される一本のボルトを前記柄に固定するようにしたことを特徴とする調理器具。
【請求項２】
前記柄を、前記挿入穴に対して斜め方向となる分離面にて柄本体とカバー柄との２つに分離できるものとし、これらの柄本体とカバー柄とのそれぞれの対向面に、互いに嵌合されて位置決めを行う嵌合突起及び嵌合凹所を形成するとともに、
前記ボルトが挿入される挿入穴を前記柄本体またはカバー柄に形成し、前記ボルトの先端が螺着されることになるネジ穴を前記カバー柄または柄本体に形成したことを特徴とする請求項１に記載の調理器具。
【発明の詳細な説明】
【０００１】
【発明の属する技術分野】
本発明は、しゃもじ、しゃくし、へら、調理用スプーンやフォーク、フライ返し、スパチュラ等の手で持って使用し、先の本体部で種々な機能を発揮することになる調理用器具に関し、特に、その手で持つ「柄」と機能を発揮するための「本体部」とを分離可能にした調理用器具に関するものである。
【０００２】
【従来の技術】
柄と本体部とが分離可能となった調理用器具は、一つの柄でしゃもじ、しゃくし、あるいはへら等の何種類かの機能を発揮する本体部に交換することができて便利であり、逆に、一つのしゃもじに対して複数の柄を交換することにより、古くなった柄やデザインを変えた柄を使用することもできて便利なものである。
【０００３】
特に、近年のように、ゴミの「分別収集」が必要となってくると、この種の調理用器具をゴミとして捨てる場合には、通常は木製であったり合成樹脂製であったりする「柄」と、通常は金属製である「本体部」との分離を行わなければならない。この点、柄と本体部とが分離可能となった調理用器具は、分別収集のためにも、有利なものである。
【０００４】
このような柄と本体部とを分離可能とした調理用器具の従来例としては、例えば図９に示すような「着脱取手付しゃもじ」がある。この着脱取手付しゃもじは、実開昭６０−５６６３号公報にて提案されているものであるが、図９の（イ）及び（ハ）の如く使用する時は、ヘラ部１に取手部２を装着して使用し、使用後は押しボタン３を押すことにより、スプリング５の力により取手部とヘラ部とが、図９の（ロ）に示すように、簡単に抜き取れるようにしたものである。これにより、ヘラ部１を常時炊飯器の中に入れておくことができることは当然として、「柄」と「本体部（ヘラ部１）」とを分別収集のために分離することができるものである。
【０００５】
ところが、この図９に示した「柄」と「本体部」との分離が可能な調理用器具は、これらの「柄」と「本体部」との間に所謂「ガタ」が生じるものと考えられるため、その使用勝手が非常に悪いと思われる。何故なら、通常、あるものについて着脱自在とするためには、挿入を簡単に行えるようにするために、両者間にある程度の隙間を形成しておかなければならないが、この隙間を完全に埋めないと、使用時、つまり力を加えたとき互いに動くことになるからである。
【０００６】
従って、図９に示した従来の着脱取手付しゃもじでは、スプリング５によって本体部を常に押し出すようにして、このスプリング５の付勢力によってボタン３との係合を確保するようにはしているが、ヘラ部１と取手部２との間の「ガタ」防止は果たされていない。このため、当該しゃもじを使用すると、「柄」に対して「本体部（ヘラ部１）」が動くことになるから、使用勝手が非常に悪いのである。
【０００７】
そこで、本発明者等は、この種の調理用器具において、その「柄」と「本体部」とをガタなく連結できて、しかも分離を簡単に行えるようにするにはどうしたらよいか、について種々検討を重ねてきた結果、本発明を完成したのである。
【０００８】
【発明が解決しようとする課題】
本発明は、以上の経緯に基づいてなされたもので、その解決しようとする課題は、調理用器具について、柄と本体部との固定及び連結を、「ガタ」なく確実に行えるようにし、かつ分離も簡単に行えるようにすることである。
【０００９】
【課題を解決するための手段】
以上の課題を解決するために、まず、請求項１に係る発明の採った手段は、後述する実施の形態の説明中において使用する符号を付して説明すると、
「しゃもじ部、しゃくし部、へら部などの本体部１０を柄２０に対して着脱自在とした調理用器具１００であって、
本体部１０の基端部１１に位置決め穴１３を形成し、この位置決め穴１３内に係合される位置決め片３２を一体的に形成したスプリング部材３０を、本体部１０に組み付ける一方、このスプリング部材３０と基端部１１とが挿入される略長方形状の挿入穴２３を柄２０内に形成し、
スプリング部材３０に、これが基端部１１とともに挿入穴２３内に挿入されたとき、この挿入穴２３の４つのいずれかの内面に当接することになる少なくとも２つの弾性片３１を一体的に形成するとともに、
本体部１０側の基端部１１先端に一つのボルト挿入穴１２を形成し、このボルト挿入穴１２に外側から挿入される一本のボルト４０を柄１０に固定するようにしたことを特徴とする調理器具１００」
である。
【００１０】
すなわち、この請求項１に係る調理用器具１００は、本体部１０を柄２０に対して着脱自在としたものであるが、この本体部１０としては、しゃもじの柄以外の部分であるしゃもじ部、調理用スプーン、調理用レードル、あるいはしゃくしの柄以外の部分であるしゃくし部、調理用へら、フライ返し、ケーキターナー、あるいはスパチュラの柄以外の部分であるへら部等の種々なものがあり、要するに調理用器具の柄以外の部分を含むものである。
【００１１】
また、この調理用器具１００では、その本体部１０の基端部１１にスプリング部材３０を組み付けて、これらを柄２０に対して差し込むものである。そのために、本体部１０の基端部１１は、図２及び図３に示すように、断面が略長方形状の板状のものとしてあり、この基端部１１には、特に図３に示すように、後に固定用のボルト４０が通ることになるボルト挿入穴１２が形成してある。勿論、柄２０側には、図２、図７及び図８に示すように、本体部１０側の基端部１１が差し込まれるべき挿入穴２３が形成してあるが、この挿入穴２３は、その断面形状が略長方形状となるようにしてある。
【００１２】
ここで、本体部１０の基端部１１は、図２及び図３に示すように、他の部分に対して細く形成してあり、柄２０側の挿入穴２３内に挿入し易くしてある。また、この基端部１１には、後述するボルト４０が挿通されることになるボルト挿入穴１２と、後述するスプリング部材３０を仮止めするための位置決め穴１３とが形成してある。なお、この基端部１１の先端には、柄２０の挿入穴２３内への挿入が容易となるように、丸みが付けてある。
【００１３】
本体部１０の基端部１１に組み付けられるスプリング部材３０は、図４〜図６に示すように、これが基端部１１とともに挿入穴２３内に挿入されたとき、この挿入穴２３の内面のいずれかに当接することになる少なくとも２つの弾性片３１を一体的に形成したものである。このとき、挿入穴２３は断面形状が略長方形状となるようにしてあるから、その内面は４つあることになるが、各弾性片３１は、挿入穴２３内の４つの内面のいずれか２つに当接することになるのである。
【００１４】
スプリング部材３０は、図３及び図４に示すように、その基体部分に対して撓むとともに、自身も撓む複数の弾性片３１を有したものである。また、このスプリング部材３０の基体部分の弾性片３１とは反対側に、本体部１０側の基端部１１に形成してある位置決め穴１３内に係合することになる位置決め片３２が形成してある。各弾性片３１には、その長さ方向に直交する３本の折曲線が入れてあり、これにより、各弾性片３１はその両側に位置する挿入穴２３の内面に対して厚さ方向に撓むものとなっている。
【００１５】
各弾性片３１は、図４〜図６の各（ロ）及び（ハ）に示したように、その長さ方向に対して直交する方向の折曲線を合計３本入れてあるから、これらの折曲線にて折曲されたものとなっている。このため、このスプリング部材３０の各弾性片３１は、スプリング部材３０が本体部１０の基端部１１に組み付けられた状態で柄２０の挿入穴２３内に強制的に挿入されると、挿入穴２３の内面にて延ばされるような状態となって扁平状態になり、当該スプリング部材３０、つまりこれを組み付けた基端部１１を挿入穴２３内面に対して弾性的に支持することになるのである。
【００１６】
この各弾性片３１による弾性的な支持が確実になされるためには、断面が略長方形状の挿入穴２３の少なくとも２つの面、つまり４つの内面の内の、互いに対向し合う面か、あるいは互いに直交する面に弾性片３１が当接する必要がある。勿論、３つ以上あれば十分である。図４に示したスプリング部材３０は、略長方形状の短辺側の２つの内面と、長辺側の１つの内面との、合計３面に当接する３つの弾性片３１を有したものであり、図５に示したスプリング部材３０は、略長方形状の短辺側の２つの内面と、長辺側の２つの内面との、合計４面（全面）に当接する４つの弾性片３１を有したものである。
【００１７】
図６に示したスプリング部材３０は、互いに直交し合う長辺側及び短辺側面に当接することになる２つの弾性片３１を有したものであり、１つの短辺側に当接する弾性片３１の反対側は、挿入穴２３の反対側内面に当接するだけの当接面３３としてある。この当接面３３は、当該スプリング部材３０全体を挿入穴２３内の所定位置に支持させることにより、反対側の弾性片３１（図６のイ中では図示下方に位置する弾性片３１）による弾性力を十分発揮させるようにしているのである。
【００１８】
さて、本体部１０側の基端部１１先端には、図２及び図３に示すように、一つのボルト挿入穴１２が形成してあり、このボルト挿入穴１２には、柄２０の外側から一本のボルト４０が挿入されるのであり、このボルト４０の先端を、図１及び図２に示すように、柄１０の反対側内面に固定することにより、本体部１０の柄２０に対する固定が完了するのである。勿論、このボルト４０を取り外せば、本体部１０と柄２０との分離が行えることは当然である。
【００１９】
従って、この請求項１に係る調理用器具１００は、柄２０と本体部１０との固定及び連結が「ガタ」なく確実に行え、かつ分離も簡単に行えるものとなっているのである。
【００２０】
上記課題を解決するために、請求項２に係る発明の採った手段は、上記請求項１の調理用器具１００について、
「柄２０を、挿入穴２３に対して斜め方向となる分離面２０ａにて柄本体２１とカバー柄２２との２つに分離できるものとし、これらの柄本体２１とカバー柄２２とのそれぞれの対向面に、互いに嵌合されて位置決めを行う嵌合突起２４及び嵌合凹所２５を形成するとともに、
ボルト４０が挿入される挿入穴２３を柄本体２１またはカバー柄２２に形成し、ボルト４０の先端が螺着されることになるネジ穴２６をカバー柄２２または柄本体２１に形成したこと」
である。
【００２１】
すなわち、この請求項２に係る調理器具１００は、これを構成している柄２０を、柄本体２１とカバー柄２２との２つに分離できるものとしたものである。そして、この柄２０の分離面２０ａは、図１及び図２に示すように、挿入穴２３に対して斜め方向となるものである。
【００２２】
このように、分離面２０ａにて柄本体２１とカバー柄２２との２つに分離できるものとしているのは、スプリング部材３０の、基端部１１に対する組み付けを簡単に行えるようにするためであり、当該スプリング部材３０の各弾性片３１の弾性力が損なわれないようにしながら、各弾性片３１の挿入穴２３内面に対する当接を確実に行えるようにするためである。
【００２３】
また、これらの柄本体２１とカバー柄２２とのそれぞれの対向面には、図７及び図８に示すように、互いに嵌合されたときの位置決めを行う嵌合突起２４及び嵌合凹所２５が形成してある。つまり、これらの嵌合突起２４及び嵌合凹所２５は、これらを互いに嵌合させることにより、柄本体２１及びカバー柄２２の連結を行い易くするものなのである。
【００２４】
さらに、この調理用器具１００では、ボルト４０が挿入される挿入穴２３を柄本体２１またはカバー柄２２に形成し、ボルト４０の先端が螺着されることになるネジ穴２６をカバー柄２２または柄本体２１に形成してある。これにより、一本のボルト４０を螺着することにより、柄本体２１とカバー柄２２との一体化は勿論、一体化された柄２０に対する本体部１０の基端部１１の固定も行えるのである。
【００２５】
従って、この請求項２に係る調理用器具１００も、柄２０と本体部１０との固定及び連結が確実に行え、かつ分離も簡単に行えるものとなっているのである。
【００２６】
以上のように、本発明に係る調理用器具１００では、上述したように、スプリング部材３０は、本体部１０の基端部１１に形成した位置決め穴１３に係止される位置決め片３２を有したものとしてあるから、スプリング部材３０は、その後端に形成してある位置決め片３２を、本体部１０の基端部１１側に形成してある位置決め穴１３内に係合させることにより、基端部１１に組み付けられるものである。なお、図４に示したスプリング部材３０では、その他に図示上下に位置する２つの弾性片３１により本体部１０側の基端部１１の両側を挟み込むようにして、組付状態を確実にするようにしている。
【００２７】
従って、この調理用器具１００は、上述したように、柄２０と本体部１０との固定及び連結が「ガタ」なく確実に行え、かつ分離も簡単に行えるのである。
【００２８】
【発明の実施の形態】
次に、以上のように構成した各請求項に係る発明を、図面に示した実施の形態である調理用器具１００について説明するが、この実施形態の調理用器具１００は、上記各請求項に係る発明の全てを含むものである。
【００２９】
図１には、本体部１０が「玉じゃくし」である調理用器具１００の断面図が示してあり、この本体部１０の図示右端部が基端部１１となって、柄２０内の挿入穴２３に嵌挿してある。この基端部１１には、後述するスプリング部材３０が組み付けてあり、このスプリング部材３０も、基端部１１とともに挿入穴２３内に嵌挿してある。また、これらのスプリング部材３０及び基端部１１を通したボルト４０によって、当該本体部１０は柄２０に対して固定してあるのである。そして、本実施形態の柄２０は、分離面２０ａにて分離された柄本体２１とカバー柄２２とからなっている。
【００３０】
本体部１０の基端部１１は、図２及び図３に示したように、他の部分に対して細く形成してあり、柄２０側の挿入穴２３内に挿入し易くしてある。また、この基端部１１には、後述するボルト４０が挿通されることになるボルト挿入穴１２と、後述するスプリング部材３０を仮止めするための位置決め穴１３とが形成してある。なお、この基端部１１の先端には、柄２０の挿入穴２３内への挿入が容易となるように、丸みが付けてある。
【００３１】
柄２０は、図８に示した柄本体２１と、図７に示したカバー柄２２とからなるものであり、両者の端面である分離面２０ａは、当該柄２０の中心に位置する挿入穴２３に対して傾斜したものとしてある。分離面２０ａを挿入穴２３に対して傾斜させたのは、この分離面２０ａに露出する嵌合突起２４及び嵌合凹所２５が、互いに係合し易くするためであり、型製造も簡単に行えるようにするためである。換言すれば、これらの柄本体２１及びカバー柄２２の端面には、図７及び図８の各（ハ）に示したように、嵌合突起２４及び嵌合凹所２５が露出させてある。また、これらの柄本体２１及びカバー柄２２は、ボルト４０によって互いに固定されるものであるため、このボルト４０が螺着されるべきネジ穴２６が、図７及び図８に示したように形成してある。なお、カバー柄２２の一部には、図１及び図７に示したように、指掛け２７が形成してある。
【００３２】
スプリング部材３０は、図３及び図４に示したように、その基体部分に対して撓むとともに、自身も撓む複数の弾性片３１を有したものである。また、このスプリング部材３０の基体部分の弾性片３１とは反対側に、本体部１０側の基端部１１に形成してある位置決め穴１３内に係合することになる位置決め片３２が形成してある。各弾性片３１には、その長さ方向に直交する３本の折曲線が入れてあり、これにより、各弾性片３１はその両側に位置する挿入穴２３の内面に対して厚さ方向に撓むものとなっているのである。
【００３３】
本実施形態では、スプリング部材３０を、図２及び図３に示したように、各弾性片３１が外側（本体部１０の先端側）になるように挿入している。その理由は、本体部１０と柄２０との「ガタツキ」がないようにするには、柄２０に形成してある挿入穴２３の、本体部１０側先端部に隙間がないようにすることが最も効果的であるため、この部分に各弾性片３１が位置しているとよいからである。このため、本実施形態では、スプリング部材３０の各弾性片３１が挿入穴２３の出口付近に位置するようにしたのである。
【００３４】
【発明の効果】
以上、詳述した通り、本発明においては、主として、
「しゃもじ部、しゃくし部、へら部などの本体部１０を柄２０に対して着脱自在とした調理用器具１００であって、
本体部１０の基端部１１に位置決め穴１３を形成し、この位置決め穴１３内に係合される位置決め片３２を一体的に形成したスプリング部材３０を、本体部１０に組み付ける一方、このスプリング部材３０と基端部１１とが挿入される略長方形状の挿入穴２３を柄２０内に形成し、
スプリング部材３０に、これが基端部１１とともに挿入穴２３内に挿入されたとき、この挿入穴２３の４つのいずれかの内面に当接することになる少なくとも２つの弾性片３１を一体的に形成するとともに、
本体部１０側の基端部１１先端に一つのボルト挿入穴１２を形成し、このボルト挿入穴１２に外側から挿入される一本のボルト４０を柄１０に固定するようにしたこと」
にその構成上の主たる特徴があり、これにより、柄２０と本体部１０との固定及び連結が「ガタ」なく確実に行え、かつこれらの分離も簡単に行うことのできる調理用器具１００を提供することができるのである。
【図面の簡単な説明】
【図１】本発明に係る調理用器具の部分断面図である。
【図２】同調理用器具の要部拡大断面図である。
【図３】本体部の基端部に組み付けたスプリング部材の拡大平面図である。
【図４】スプリング部材を示すもので、（イ）は展開図、（ロ）は平面図、（ロ）は側面図である。
【図５】スプリング部材の別例を示すもので、（イ）は展開図、（ロ）は平面図、（ロ）は側面図である。
【図６】スプリング部材の他の別例を示すもので、（イ）は展開図、（ロ）は平面図、（ロ）は側面図である。
【図７】柄を構成するカバー柄を拡大して示すもので、（イ）は側面図、（ロ）は平面図、（ハ）は正面図である。
【図８】柄を構成する柄本体を拡大して示すもので、（イ）は側面図、（ロ）は平面図、（ハ）は正面図である。
【図９】従来の調理用器具を示すもので、（イ）は全体の斜視図、（ロ）は分解斜視図、（ハ）は部分断面図である。
【符号の説明】
１００  調理用器具
１０  本体部
１１  基端部
１２  ボルト挿入穴
１３  位置決め穴
２０  柄
２０ａ  分離面
２１  柄本体
２２  カバー柄
２３  挿入穴
２４  嵌合突起
２５  嵌合凹所
２６  ネジ穴
２７  指掛け
３０  スプリング部材
３１  弾性片
３２  位置決め片
４０  ボルト
【図１】
0003921658.tif 000002
【図２】
0003921658.tif 000003
【図３】
0003921658.tif 000004
【図４】
0003921658.tif 000005
【図５】
0003921658.tif 000006
【図６】
0003921658.tif 000007
【図７】
0003921658.tif 000008
【図８】
0003921658.tif 000009
【図９】
0003921658.tif 000010